【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
プロセッサ、通信手段、格納手段を含む情報処理機器によって用いられる方法であって、前記情報処理機器は、財務データをクライアント機器に提供するためのものであり、
前記方法は、
前記通信手段が、前記クライアント機器から、財務データを引き出すための第１の命令セットを受信するステップと、
前記プロセッサが、前記格納手段に格納された少なくとも１つのデータセットから統合された財務データを含む第１の情報を引き出すステップであって、前記少なくとも１つのデータセットは、前記情報処理機器とは独立して、少なくとも１つの財務データプロバイダから前記情報格納機器に提供される、ステップと、
前記プロセッサが、前記引き出された第１の情報を用いて、前記第１の情報に含まれる前記少なくとも１つのデータセットのそれぞれに関連付けられたソース情報を決定するステップと、
前記プロセッサが、前記通信手段を用いて、前記ソース情報に基づいて、独立した通信サーバにクエリすることにより、前記第１の情報に関連付けられた１つ以上のユーザの存在情報を獲得するステップであって、前記存在情報は、前記第１の情報に関連付けられた前記１つ以上のユーザのそれぞれが、前記独立した通信サーバを介して前記クライアント機器と通信するために利用可能であるか否かを示す情報を含む、ステップと、
前記プロセッサが、前記獲得された存在情報および前記引き出された財務データを第２の情報としてコンパイルするステップと、
前記プロセッサが、前記通信手段を介して前記クライアント機器から受信された対話式制御コマンドに応答して、前記プロセッサによって生成された第２の命令セットとともに前記第２の情報を送信するステップであって、前記第２の命令セットは、前記クライアント機器において実行されたときに、前記クライアント機器に、前記クライアント機器の通信ウィンドウにおいて、前記第２の情報の少なくとも一部分を表示させ、前記通信ウィンドウは、前記独立した通信サーバを介する通信のためのものである、ステップと
を含む、方法。
【請求項２】
前記通信ウィンドウは、前記財務データに関連付けられたユーザのためのインスタントメッセージング識別子を自動的に含む、請求項１に記載の方法。
【請求項３】
前記財務データは、経済商品と将来の取引のエンティティまたはエージェントとを識別するデータを含む、請求項１に記載の方法。
【請求項４】
前記財務データを前記クライアント機器に提供することは、前記少なくとも１つの財務データに関連付けられたエンティティまたはエージェントが、対話式通信のために現在利用可能であるか否かを示す前記存在インジケータに関連して、前記財務データの少なくとも一部分を表示することを含む、請求項１に記載の方法。
【請求項５】
前記通信ウィンドウは、前記クライアント機器における表示のために開かれ、前記第２の情報の少なくとも一部分は、アプリケーションプログラムインタフェースに通信され、前記アプリケーションプログラムインタフェースは、前記財務データが、前記クライアント機器内の２つ以上のインスタントメッセージングアプリケーションのうちの少なくとも１つ、または、前記クライアント機器内のＥメールアプリケーションおよび音声通信アプリケーションのうちの少なくとも１つに対応する場合に、前記少なくとも一部分を選択的に通信する、請求項１に記載の方法。
【請求項６】
前記クライアント機器における表示のために通信ウィンドウを開くステップは、通信アプリケーションのために前記通信ウィンドウを開くことを含み、
前記通信ウィンドウは、前記財務データの前記少なくとも一部分と少なくとも１つのリモートユーザのための識別子とを自動的に含むテキストフィールドを有する、請求項１に記載の方法。
【請求項７】
前記クライアント機器における表示のために通信ウィンドウを開くステップは、２つ以上のインスタントメッセージングウィンドウを開くことを含み、
前記ウィンドウのそれぞれは、個々のインスタントメッセージングシステムに関連付けられたインスタントメッセージング識別子を自動的に含む、請求項１に記載の方法。
【請求項８】
前記第１の情報は、経済商品と将来の取引のエンティティまたはエージェントとを識別するデータを含む、請求項１に記載の方法。
【請求項９】
前記第２の情報の前記部分は、前記クライアント機器のブラウザに提供される、請求項１に記載の方法。
【請求項１０】
プログラムを格納しているコンピュータ読み取り可能な媒体であって、前記プログラムは、実行されたときに、プロセッサ、通信手段、格納手段を含む情報処理機器に、財務データをクライアント機器に提供させることにより、方法を実行させ、
前記方法は、
前記通信手段が前記クライアント機器から財務データを引き出すための第１の命令セットを受信したことに応答することと、
前記プロセッサが、前記格納手段に格納された少なくとも１つのデータセットから統合された財務データを含む第１の情報を引き出すことであって、前記少なくとも１つのデータセットは、前記情報処理機器とは独立して、少なくとも１つの財務データプロバイダから前記情報格納機器に提供される、ことと、
前記プロセッサが、前記引き出された第１の情報を用いて、前記第１の情報に含まれる前記少なくとも１つのデータセットのそれぞれに関連付けられたソース情報を決定することと、
前記プロセッサが、前記通信手段を用いて、前記ソース情報に基づいて、独立した通信サーバにクエリすることにより、前記第１の情報に関連付けられた１つ以上のユーザの存在情報を獲得することであって、前記存在情報は、前記第１の情報に関連付けられた前記１つ以上のユーザのそれぞれが、前記独立した通信サーバを介して前記クライアント機器と通信するために利用可能であるか否かを示す情報を含む、ことと、
前記プロセッサが、前記獲得された存在情報および前記引き出された財務データを第２の情報としてコンパイルすることと、
前記プロセッサが、前記通信手段を介して前記クライアント機器から受信された対話式制御コマンドに応答して、前記プロセッサによって生成された第２の命令セットとともに前記第２の情報を送信することであって、前記第２の命令セットは、前記クライアント機器において実行されたときに、前記クライアント機器に、前記クライアント機器の通信ウィンドウにおいて、前記第２の情報の少なくとも一部分を表示させ、前記通信ウィンドウは、前記独立した通信サーバを介する通信のためのものである、ことと
を含む、コンピュータ読み取り可能な媒体。
【請求項１１】
前記コンピュータは、さらに、グラフィカルユーザインタフェースにおいてレンダリングするために前記第２の情報を前記クライアント機器に提供し、前記コンピュータは、さらに、前記レンダリングされた第２の情報に関連付けられた第２のリモートユーザが対話式通信に現在利用可能であるか否かを示す、請求項１０に記載のコンピュータ読み取り可能な媒体。
【請求項１２】
前記通信ウィンドウは、インスタントメッセージングアプリケーションのためのインスタントメッセージングウィンドウであり、
前記インスタントメッセージングウィンドウは、前記財務データの一部分と第１のリモートユーザのためのインスタントメッセージング識別子とを自動的に含むテキストフィールドを有する、請求項１０に記載のコンピュータ読み取り可能な媒体。
【請求項１３】
複数の通信ウィンドウが、前記クライアント機器における表示のために開かれ、前記ウィンドウのそれぞれは、個々のインスタントメッセージングシステムに関連付けられたインスタントメッセージング識別子を自動的に含む、請求項１２に記載のコンピュータ読み取り可能な媒体。
【請求項１４】
存在インジケータは、前記クライアント機器においてインスタントメッセージングサービスのアイコンを表示するための命令を含む、請求項１０に記載のコンピュータ読み取り可能な媒体。
【請求項１５】
プロセッサ、通信手段、格納手段を含む情報処理機器を含むコンピュータシステムであって、
前記情報処理機器は、財務データをクライアント機器に提供するためのものであり、
前記通信手段は、前記クライアント機器から、財務データを引き出すための第１の命令セットを受信するように構成され、
前記プロセッサは、前記第１の命令セットの受信に応答して、前記格納手段に格納された少なくとも１つのデータセットから統合された財務データを含む第１の情報を引き出すように構成され、前記少なくとも１つのデータセットは、前記情報処理機器とは独立して、少なくとも１つの財務データプロバイダから前記情報格納機器に提供され、
前記プロセッサは、前記引き出された第１の情報を用いて、前記第１の情報に含まれる前記少なくとも１つのデータセットのそれぞれに関連付けられたソース情報を決定するように構成され、
前記プロセッサは、前記通信手段を用いて、前記ソース情報に基づいて、独立した通信サーバにクエリすることにより、前記第１の情報に関連付けられた１つ以上のユーザの存在情報を獲得するように構成され、前記存在情報は、前記第１の情報に関連付けられた前記１つ以上のユーザのそれぞれが、前記独立した通信サーバを介して前記クライアント機器と通信するために利用可能であるか否かを示す情報を含み、
前記プロセッサは、前記獲得された存在情報および前記引き出された財務データを第２の情報にコンパイルするように構成され、
前記プロセッサは、前記通信手段を介して前記クライアント機器から受信された対話式制御コマンドに応答して、前記プロセッサによって生成された第２の命令セットとともに前記第２の情報を送信するように構成され、前記第２の命令セットは、前記クライアント機器において実行されたときに、前記クライアント機器に、前記クライアント機器の通信ウィンドウにおいて、前記第２の情報の少なくとも一部分を表示させ、前記通信ウィンドウは、前記独立した通信サーバを介する通信のためのものである、コンピュータシステム。
【請求項１６】
前記財務データは、統合財務データプロバイダから統合され、前記統合財務データプロバイダは、
統合リストまたは１つ以上の経済商品を購入することに関心のある１つ以上の予定の購入のエンティティと、１つ以上の経済商品を売却することに関心のある１つ以上の売却のエンティティとの統合リストを含むデータベースとしてさらに構成され、
前記統合財務データプロバイダは、
前記クライアント機器を介してエンティティが前記データベースにアクセスしたことに応答して、１つ以上の経済商品に関連する前取引データを前記クライアント機器に提供する手段であって、各経済商品に対する前記前取引データは、少なくとも１つの予定の購入または売却のエンティティを識別する、手段と、
前記エンティティが前記データベースにアクセスしたことに応答して、通信ネットワーク内または通信ネットワーク上に存在する前記１つの予定の購入または売却のエンティティに関連付けられた第２のクライアント機器の存在の表示を前記クライアント機器に提供する手段と
をさらに含む、請求項１５に記載のコンピュータシステム。
【請求項１７】
前記存在の表示は、前記１つの予定の購入または売却のエンティティに関連付けられたＩＰアドレスに前記第２のクライアント機器が関連付けられているか否かを示す、請求項１６に記載のコンピュータシステム。
【請求項１８】
前記第２のクライアント機器の存在の表示をクライアント機器に提供する手段は、前記１つの予定の購入または売却のエンティティに関連付けられた少なくとも１つのインスタントメッセージングシステムのためのサーバに結合する手段を含み、前記サーバは、前記購入または売却のエンティティのうちの１つ以上の購入または売却のエンティティ、または、前記１つ以上の購入または売却のエンティティに対する別名を、対応するＩＰアドレスと関連付けるデータを含む、請求項１６に記載のコンピュータシステム。
【請求項１９】
前記第２のクライアント機器の存在の表示をクライアント機器に提供する手段は、２つ以上のインスタントエッセージングサービスプロバイダから存在データを引き出す手段を含む、請求項１８に記載のコンピュータシステム。
【請求項２０】
前記クライアント機器は、テキストメッセージングを介して前記１つの予定の購入または売却のエンティティに対して前記第２のクライアント機器と通信するためのグラフィカルユーザインタフェースをさらに含み、
前記インタフェースは、
財務コンテンツまたは所定のテキストストリングをＩＭテキストウィンドウの中へドラッグアンドドロップする手段と、
１つ以上の所定のテキストストリングをＩＭテキストウィンドウに追加するメニュー手段と、
それぞれのＩＭ通信システム内の存在に基づいて前記予定の購入または売却のエンティティのうちの１つ以上の予定の購入または売却のエンティティのソートされた表示を前記データベースから呼び出す手段と
のうちの１つ以上を含む、請求項１６に記載のコンピュータシステム。
【請求項２１】
財務データをクライアント機器に提供するためのコンピュータプログラムであって、前記コンピュータプログラムは、実行されたときに、プロセッサ、通信手段、格納手段を含む情報処理機器に、方法を実行させ、
前記方法は、
前記通信手段が前記クライアント機器から財務データを引き出すための第１の命令セットを受信したことに応答することと、
前記プロセッサが、前記格納手段に格納された少なくとも１つのデータセットから統合された財務データを含む第１の情報を引き出すことであって、前記少なくとも１つのデータセットは、前記情報処理機器とは独立して、少なくとも１つの財務データプロバイダから前記情報格納機器に提供される、ことと、
前記プロセッサが、前記引き出された第１の情報を用いて、前記第１の情報に含まれる前記少なくとも１つのデータセットのそれぞれに関連付けられたソース情報を決定することと、
前記プロセッサが、前記通信手段を用いて、前記ソース情報に基づいて、独立した通信サーバにクエリすることにより、前記第１の情報に関連付けられた１つ以上のユーザの存在情報を獲得することであって、前記存在情報は、前記第１の情報に関連付けられた前記１つ以上のユーザのそれぞれが、前記独立した通信サーバを介して前記クライアント機器と通信するために利用可能であるか否かを示す情報を含む、ことと、
前記プロセッサが、前記獲得された存在情報および前記引き出された財務データを第２の情報としてコンパイルすることと、
前記プロセッサが、前記通信手段を介して前記クライアント機器から受信された対話式制御コマンドに応答して、前記プロセッサによって生成された第２の命令セットとともに前記第２の情報を送信することであって、前記第２の命令セットは、前記クライアント機器において実行されたときに、前記クライアント機器に、前記クライアント機器の通信ウィンドウにおいて、前記第２の情報の少なくとも一部分を表示させ、前記通信ウィンドウは、前記独立した通信サーバを介する通信のためのものである、ことと
を含む、コンピュータプログラム。